(57)【要約】【課題】  １個のコネクタをロックすることにより並列した他のコネクタもロックし、コネクタ構造の簡素化、スペースの節約を図る。【解決手段】  メインコネクタ１４の側部には、サブコネクタ１５を取り付けるための枠部１６が付設されている。メインコネクタ１４にはコネクタ１２に対するロック機構１７が出し入れ自在に付設され、メインコネクタ１４にサブコネクタ１５を取り付け、更にメインコネクタ１４、サブコネクタ１５をそれぞれコネクタ１２、１３に嵌合した後に、ロック機構１７をメインコネクタ１４内に押し込むと、ロック機構１７に設けた溝部が、コネクタ１２に設けられた突起１２ａと係合してロックがなされ、メインコネクタ１４の引き抜きが不可能となり、サブコネクタ１５も外すことはできなくなる。【選択図】図１
2006228451.tif 000002
【特許請求の範囲】
【請求項１】
メインコネクタとサブコネクタとを並列してそれぞれ相手側コネクタに嵌合する場合において、前記サブコネクタを前記メインコネクタに保持した状態で前記相手側コネクタに嵌合し、前記メインコネクタのロック機構を用いて相手側コネクタとロックすることを特徴とする電気コネクタ。
【請求項２】
前記メインコネクタの側部に枠部を設け、該枠部に前記サブコネクタを保持すると共に、前記サブコネクタが前記枠部から後方に抜け出ないようにしたことを特徴とする請求項１に記載の電気コネクタ。
【請求項３】
前記メインコネクタの外側から操作して、前記相手側コネクタに対しロックを行うロック機構を有することを特徴とする請求項１に記載の電気コネクタ。
【請求項４】
前記ロック機構は目視により外部からそのロック状態を確認できるようにしたことを特徴とする請求項１に記載の電気コネクタ。
【請求項５】
前記メインコネクタは１個とし、前記サブコネクタを１個又は複数とした請求項１に記載の電気コネクタ。
【発明の詳細な説明】
【技術分野】
【０００１】
本発明は、複数のコネクタを並列して使用し、そのうちの１個のメインコネクタによって全コネクタをロックし得る電気コネクタに関するものである。
【背景技術】
【０００２】
従来から例えば図４に示すように、ユニット１側に信号用のコネクタ２、３と電源用のコネクタ４を並列して配置し、それぞれのコネクタ２、３、４に対し電線同士を接続するための相手側コネクタ５、６、７を嵌合することが通常行われている。
【０００３】
そして、例えば自動車等における使用では、各コネクタ同士のロックを行わないと振動により外れてしまう虞れがあり、各コネクタは例えば爪部２ａ、３ａ、４ａを用いたロック機構を用いて、それぞれ不時に外れないようにロックをする必要がある。
【発明の開示】
【発明が解決しようとする課題】
【０００４】
しかし、コネクタごとにロック機構を備えると、コネクタが大きくなって、広いスペースを必要とし、特にコネクタを密接して並列配置する場合には問題がある。
【０００５】
そこで、図５に示すように複数のコネクタを１つのコネクタ８に集約し、相手側コネクタ９と対にすることも考えられるが、別系統からの配線を１つのコネクタ８に取り込むことが無理なこともあり、また電圧、電流の違いなどによるノイズの問題などが生じ、集約が困難な場合もある。
【０００６】
本発明の目的は、１個のコネクタに設けたロック機構を用いて、並列した複数個のコネクタをロックし得る電気コネクタを提供することにある。
【課題を解決するための手段】
【０００７】
上述の目的を達成するための本発明の技術的特徴は、メインコネクタとサブコネクタとを並列してそれぞれ相手側コネクタに嵌合する場合において、前記サブコネクタを前記メインコネクタに保持した状態で前記相手側コネクタに嵌合し、前記メインコネクタのロック機構を用いて相手側コネクタとロックすることにある。
【発明の効果】
【０００８】
本発明に係る電気コネクタによれば、１個のコネクタをロックすることにより並列した他のコネクタもロックすることができ、コネクタ構造の簡素化、スペースの節約となる。
【０００９】
また、ロック状態を外部から目視で確認できるようにすると、抜け落ちなどに対する安全が確保できる。
【００１０】
更に、サブコネクタにはロック機構を持たせる必要がなくなり、構成が簡単になる。
【発明を実施するための最良の形態】
【００１１】
本発明を図１〜図３に図示の実施例に基づいて詳細に説明する。
図１はユニット１１側のコネクタ１２、１３に対し、メインコネクタ１４とサブコネクタ１５を嵌合する状態の斜視図を示している。合成樹脂から成るそれぞれのコネクタ１２〜１５内には、端子金具が内装されており、更にはこれらの端子金具に接続した電線が図４に示すように取り付けられているが、これらは図示を省略している。
【００１２】
コネクタ１２、１３に対し、メインコネクタ１４とサブコネクタ１５はそれぞれ覆い被さるように嵌合するようになっており、コネクタ同士を嵌合すると、それぞれの端子金具同士の電気的接続がなされる。
【００１３】
メインコネクタ１４の側部には、サブコネクタ１５を取り付けるための枠部１６が付設されている。サブコネクタ１５の外形は前段１５ａが後段１５ｂよりも大きい２段構造とされており、サブコネクタ１５は枠部１６の前方から挿入され、段部が枠部１６に係止され、図２に示すように後段１５ｂのみが後方に抜け出している。また、サブコネクタ１５に取り付けた図示しない電線を挿入できるように枠部１６の側面及び後面の一部は開放されており、電線は枠部１６の後方から引き出される。
【００１４】
また、メインコネクタ１４にはコネクタ１２に対するロック機構１７が出し入れ自在に付設され、このロック機構１７には略コ字状のレバーが用いられ、メインコネクタ１４にサブコネクタ１５を取り付け、更にメインコネクタ１４、サブコネクタ１５をそれぞれコネクタ１２、１３に嵌合した後に、図３に示すようにロック機構１７をメインコネクタ１４内に押し込むと、ロック機構１７に設けた溝部が、コネクタ１２に設けられた突起１２ａと係合してロックがなされ、メインコネクタ１４の引き抜きが不可能となる。
【００１５】
このように、サブコネクタ１５を枠部１６によって保持したメインコネクタ１４をコネクタ１２に嵌合した後に、ロック機構１７を用いてロックすると、メインコネクタ１４を引き抜くことができなくなるばかりか、サブコネクタ１５も外すことはできなくなる。
【００１６】
なお、サブコネクタ１５をコネクタ１３に嵌合した後に、メインコネクタ１４の枠部１６にサブコネクタ１５を挿入しながら、メインコネクタ１４をコネクタ１２に嵌合し、その後にメインコネクタ１４のロック機構１７を機能させてもよい。
【００１７】
なお、コネクタ１３、１４をコネクタ１２、１３から外すには、ロック機構１７を抜き出してロックを解除してから、コネクタ１３、１４を引き抜くことにより行うことができる。
【００１８】
また本実施例においては、ロック機構１７はメインコネクタ１４の外部から操作するので、ロック機構１７が機能しているかどうか目視により確認可能で、コネクタロックの保証機能（ＣＰＡ）を有する。
【００１９】
なお、ロック機構１７については、本実施例に限ることなく、外部から確認可能な他の手段によってもよい。
【図面の簡単な説明】
【００２０】
【図１】メインコネクタ、サブコネクタの嵌合前の斜視図である。
【図２】メインコネクタにサブコネクタを取り付けた状態の斜視図である。
【図３】メインコネクタ、サブコネクタの嵌合時の斜視図である。
【図４】従来の複数のコネクタの嵌合前の斜視図である。
【図５】従来の複数のコネクタを集約した状態の斜視図である。
【符号の説明】
【００２１】
１１  ユニット
１２、１３  コネクタ
１２ａ  突起
１４  メインコネクタ
１５  サブコネクタ
１６  枠部
１７  ロック機構
【図１】
2006228451.tif 000003
【図２】
2006228451.tif 000004
【図３】
2006228451.tif 000005
【図４】
2006228451.tif 000006
【図５】
2006228451.tif 000007